(57)【特許請求の範囲】
【請求項１】
気体を送風するための送風機であって、
第１内部空間を有するファンケースと、前記第１内部空間に収容される羽根車と、前記羽根車を駆動するための駆動源と、前記羽根車および前記駆動源を連結する回転軸とを含むファンと、
第２内部空間を有し、かつ前記ファンから送り出された前記気体を、前記第２内部空間を通して前記送風機の外部へ吐出するための吐出口が設けられた接続部ケースを含む吐出接続部と、を備え、
前記回転軸の軸方向から見た平面視において、
前記第１内部空間と前記第２内部空間との境界には、舌部が位置しており、
前記舌部は、前記境界の一端から前記境界の他端に向かって、前記吐出口の中心点と前記回転軸の回転中心とを結ぶ仮想の直線に少なくとも達する位置まで延設されており、
前記舌部のうち、前記第２内部空間に対向する部分は、前記吐出口を取り囲む曲線形状を有し、
前記吐出接続部は、前記第２内部空間に通じるドレン排出部を有している、送風機。
【請求項２】
前記回転軸の軸方向から見た平面視において、
前記舌部の前記他端側の先端部は、前記吐出口の外周部と前記羽根車の外周部とに接する仮想の接線のうち、前記境界と交差する位置が最も前記境界の前記他端側に近い位置となる共通外接線上および前記共通外接線よりも前記一端側のいずれかに位置している、請求項１に記載の送風機。
【請求項３】
前記回転軸の軸方向から見た平面視において、
前記舌部の前記他端側の先端部は、前記吐出口の外周部と前記羽根車の外周部とに接する仮想の接線のうち、前記羽根車の前記外周部と接する側から前記吐出口の前記外周部と接する側に向かって、前記境界の前記他端側から前記一端側へと近づく共通内接線上および前記共通内接線よりも前記一端側のいずれかに位置している、請求項１に記載の送風機。
【請求項４】
前記回転軸の軸方向から見た平面視において、
前記舌部のうち、前記羽根車の外周部と対向する対向壁部は、前記他端側から前記一端
側に向けて直線的に延在する直線領域と、前記直線領域よりも前記一端側に位置し、かつ前記直線領域に連続する曲線領域とを有し、
前記直線領域において、前記舌部の前記対向壁部と前記羽根車の外周部との距離は、前記他端側から前記一端側に向けて小さくなる、請求項１から請求項３のいずれか１項に記載の送風機。
【請求項５】
前記ファンケースと前記接続部ケースとが一体的に形成されている、請求項１から請求項４のいずれか１項に記載の送風機。
【請求項６】
燃焼ガスを発生させる燃焼部と、
前記燃焼ガスとの熱交換によって内部を流れる湯水を加熱する熱交換器と、
前記燃焼ガスの流れに対して前記熱交換器の下流側に位置し、前記熱交換器を経由した後の前記燃焼ガスを吸引して給湯装置の外部へ排出する、請求項１から請求項５のいずれか１項に記載の送風機と、を備える、給湯装置。
【請求項７】
燃焼ガスを発生させる燃焼部と、
前記燃焼ガスとの熱交換によって内部を流れる湯水を加熱する熱交換器と、
前記燃焼ガスの流れに対して前記燃焼部の上流側に位置し、前記燃焼部に気体を送り出す、請求項１から請求項５のいずれか１項に記載の送風機と、を備える給湯装置。
【発明の詳細な説明】
【技術分野】
【０００１】
本発明は、送風機および給湯装置に関し、特に、コンパクト化が可能な送風機および給湯装置に関するものである。
【背景技術】
【０００２】
設置済の貯湯式給湯装置を瞬間式給湯装置に取り替える場合、建物の外観維持という観点から設置済みの排気筒を取り外すことができない現場がある。
【０００３】
上記のような現場では、既設の排気筒を残し、その排気筒の内部に排気管を挿入することで給湯装置の取り替えに対応することが可能である。ただし排気管の外径が大きいと排気筒内に排気管を設置できないため、排気管を小径化する必要がある。排気管を小径化した場合でも安定した燃焼状態を維持するためには、給湯装置において排気吸引燃焼方式を採用する必要がある。
【０００４】
この排気吸引燃焼方式の給湯装置は、たとえば特開昭６０−１８６６１７号公報に開示されている。この公報に記載の給湯装置においては、バーナで生じた燃焼ガスの流れの下流側に、顕熱を回収するための熱交換器と、潜熱を回収するための熱交換器と、ファンとがこの順で配置されている。つまりこの方式の給湯装置においては、潜熱を回収するための熱交換器よりもファンが燃焼ガスの流れの下流側に配置されている。
【０００５】
ところで、給湯装置に利用されるファンとして、遠心式のファンがある。たとえば、特開２００５−２９１０４９号公報には、ファンケースに羽根車が収容されたファンが開示されている。このようなファンにおいては、ファンケースは、羽根車の回転軸方向に開口する吸引口と、羽根の外周方向に開口する吐出口と、舌部とを主に有している。このような構成により、羽根車の回転に伴って吸引口から空気等の気体が吸引され、吸引された気体は吐出口から吐出される。
【先行技術文献】
【特許文献】
【０００６】
【特許文献１】特開昭６０−１８６６１７号公報
【特許文献２】特開２００５−２９１０４９号公報
【発明の概要】
【発明が解決しようとする課題】
【０００７】
上述のファンを排気吸引燃焼方式の給湯装置に搭載する場合、ファンケースと上述の排気管とが吐出口を介して接続されることになる。このような給湯装置をコンパクト化するためには、ファンの回転軸の軸方向からの平面視において、ファンと排気管とを近接した位置に設けて、ファン回りをコンパクト化することが考えられる。
【０００８】
しかし、本発明者らの検討により、排気吸引燃焼方式の給湯装置において、単にファンと排気管とが近接するようにファンケースを設計した場合、ファンの送風能力が低下することが分かった。
【０００９】
本発明は、上記の課題を鑑みてなされたものであり、その目的は、ファンの送風能力を低下させることなく、コンパクト化が可能な送風機および給湯装置を提供することである。
【課題を解決するための手段】
【００１０】
本発明の送風機は、気体を送風するための送風機であって、ファンと、吐出接続部とを備える。ファンは、第１内部空間を有するファンケースと、第１内部空間に収容される羽根車と、羽根車を駆動するための駆動源と、羽根車および駆動源を連結する回転軸とを含む。吐出接続部は、第２内部空間を有し、かつファンから送り出された気体を、第２内部空間を通して送風機の外部へ吐出するための吐出口が設けられた接続部ケースを含む。上記送風機は、回転軸の軸方向から見た平面視において、第１内部空間と第２内部空間との境界には、舌部が位置しており、舌部は、境界の一端から境界の他端に向かって、吐出口の中心点と回転軸の回転中心とを結ぶ仮想の直線に少なくとも達する位置まで延設されている。
【００１１】
本発明者らは、ファンと、吐出口に接続される排気管とを近接させることによって送風機をコンパクト化すべく、吐出口が設けられた吐出接続部をファンケースに接続し、ファンケースの第１内部空間と吐出接続部の第２内部空間との境界の近傍に吐出口が位置するように設計して検討を重ねた。その結果、境界の一端から他端に延びる舌部付近で、逆流が生じることを見出した。本発明者らは、この逆流を抑制すべくさらに鋭意検討を重ねることにより、第１内部空間と第２内部空間との境界の一端から他端に延びる舌部が、吐出口の中心点と回転軸の回転中心とを結ぶ直線に少なくとも達する位置まで延設されていることにより、舌部付近での逆流を抑制できることを知見した。
【００１２】
したがって、本発明の送風機によれば、ファンの近傍に吐出口が位置することによって生じる逆流を抑制できるため、ファンの送風能力の低下を抑制することができ、もってファンの送風能力を低下させることなく、送風機のコンパクト化が可能となる。
【００１３】
上記送風機は、回転軸の軸方向から見た平面視において、舌部の他端側の先端部が、吐出口の外周部と羽根車の外周部とに接する仮想の接線のうち、境界と交差する位置が最も境界の他端側に近い位置となる共通外接線上および共通外接線よりも一端側のいずれかに位置している。
【００１４】
これにより、第１内部空間から第２内部空間に気体を送り出す際の排気抵抗を抑制することができる。したがって、ファンの送風能力の低下を抑制することができ、もってファンの送風能力を低下させることなく、送風機のコンパクト化が可能となる。
【００１５】
上記送風機は、回転軸の軸方向から見た平面視において、舌部が、吐出口の外周部と羽根車の外周部とに接する仮想の接線のうち、羽根車の外周部と接する側から吐出口の外周部と接する側に向かって、境界の他端側から一端側へと近づく共通内接線上および共通内接線よりも一端側のいずれかに位置している。
【００１６】
これにより、第１内部空間から第２内部空間に気体を送り出す際の排気抵抗をさらに抑制することができる。したがって、ファンの送風能力の低下を抑制することができ、もってファンの送風能力を低下させることなく、送風機のコンパクト化が可能となる。
【００１７】
上記送風機は、回転軸の軸方向から見た平面視において、舌部のうち、羽根車の外周部と対向する対向壁部が、他端側から一端側に向けて直線的に延在する直線領域と、直線領域よりも一端側に位置し、かつ直線領域に連続する曲線領域とを有する。この舌部の直線領域において、舌部の対向壁部と羽根車の外周部との距離は、他端側から一端側に向けて小さくなる。
【００１８】
これにより、舌部と羽根車との間で生じる圧力変動を緩和することができるため、送風機から発生するＮＺ音を低減させることができる。
【００１９】
上記送風機は、ファンケースと接続部ケースとが一体的に形成されている。これにより、ファン側から吐出接続部側へのガスの排出がよりスムーズとなる。
【００２０】
本発明の給湯装置は、燃焼ガスを発生させる燃焼部と、燃焼ガスとの熱交換によって内部を流れる湯水を加熱する熱交換器と、燃焼ガスの流れに対して熱交換器の下流側に位置し、熱交換器を経由した後の燃焼ガスを吸引して給湯装置の外部へ排出する、上述の送風機と、を備える。
【００２１】
本発明の給湯装置は、排気吸引方式の給湯装置であり、これによれば、送風機回りをコンパクト化することができるため、もって給湯装置のコンパクト化が可能となる。
【００２２】
本発明の給湯装置は、燃焼ガスを発生させる燃焼部と、燃焼ガスとの熱交換によって内部を流れる湯水を加熱する熱交換器と、燃焼ガスの流れに対して燃焼部の上流側に位置し、燃焼部に気体を送り出す、上述の送風機と、を備える。
【００２３】
本発明の給湯装置は、押し込み式の給湯装置であり、これによれば、送風機回りコンパクト化することができるため、もって給湯装置のコンパクト化が可能となる。
【発明の効果】
【００２４】
以上説明したように本発明によれば、ファンの送風能力を低下させることなく、給湯装置のコンパクト化が可能な送風機および給湯装置を提供することができる。
【図面の簡単な説明】
【００２５】
【図１】本発明の一実施の形態における給湯装置の構成を概略的に示す正面図である。
【図２】図１に示す給湯装置の構成を概略的に示す部分断面側面図である。
【図３】図１に示す給湯装置が備える送風機および二次熱交換器を拡大して示す部分断面図である。
【図４】図１に示す送風機に関し、回転軸の軸方向からの平面視において、舌部、羽根車および吐出口の位置関係を示す上面図であり、直線ＡＢを説明するための概略図である。
【図５】図４に示す送風機に関し、回転軸の軸方向からの平面視において、舌部、羽根車および吐出口の位置関係を示す上面図であり、接線ＡＢ１〜ＡＢ４を説明するための概略図である。
【図６】図１に示す送風機の舌部の構成を概略的に示す上面図である。
【図７】送風機の内部空間に生じる気体の流れを説明するための概略図である。
【図８】羽根車の外周部から送り出される気体の流れる方向を説明するための概略図である。
【図９】本発明の一実施の形態における給湯装置の構成を示す概略図である。
【図１０】従来の押し込み式の給湯装置の構成を示す概略図である。
【図１１】本発明の一実施の形態における給湯装置の構成を示す概略図である。
【発明を実施するための形態】
【００２６】
以下、本発明の実施の形態について図に基づいて説明する。
［実施の形態１］
（給湯装置および送風機の構成）
主に図１〜図６を参照して、本実施の形態の送風機１を備える給湯装置１００について説明する。給湯装置１００は、排気吸引燃焼方式の潜熱回収型の給湯装置である。
【００２７】
主に図１を参照し、給湯装置１００は、筐体１０１と、バーナ１０２と、一次熱交換器１０３と、二次熱交換器１０４と、排気ボックス１０５と、送風機１と、接続管１０８と、ドレンタンク１０９と、配管１１０〜１１６とを主に有している。
【００２８】
バーナ１０２は、燃料ガスを燃焼させることにより燃焼ガスを生じさせるためのものである。バーナ１０２にはガス供給配管１１１が接続されている。このガス供給配管１１１はバーナ１０２に燃料ガスを供給するためのものである。このガス供給配管１１１には、たとえば電磁弁よりなるガス弁（図示せず）が取り付けられている。
【００２９】
バーナ１０２の上方には点火プラグ１０２ａが配置されている。この点火プラグ１０２ａは、バーナ１０２に設けられたターゲット（図示せず）との間で点火スパークを生じさせることにより、バーナ１０２から噴き出された燃料空気混合気に火炎を生じさせるためのものである。バーナ１０２は、ガス供給配管１１１から供給された燃料ガスを燃焼することによって熱量を発生する（これを、燃焼動作という）。
【００３０】
主に図２を参照して、一次熱交換器１０３は顕熱回収型の熱交換器である。この一次熱交換器１０３は、複数の板状のフィン１０３ｂと、その複数の板状のフィン１０３ｂを貫通する伝熱管１０３ａと、フィン１０３ｂおよび伝熱管１０３ａを内部に収容するケース１０３ｃとを主に有している。一次熱交換器１０３は、バーナ１０２で発生する燃焼ガスとの間で熱交換を行なうものであり、具体的にはバーナ１０２の燃焼動作により発生した熱量によって一次熱交換器１０３の伝熱管１０３ａ内を流れる湯水を加熱するためのものである。
【００３１】
主に図２を参照して、二次熱交換器１０４は潜熱回収型の熱交換器である。この二次熱交換器１０４は、一次熱交換器１０３よりも燃焼ガスの流れの下流側に位置し、一次熱交換器１０３と互いに直列に接続されている。このように本実施の形態の給湯装置１００は潜熱回収型の二次熱交換器１０４を有しているため潜熱回収型の給湯装置となっている。
【００３２】
二次熱交換器１０４は、ドレン排出口１０４ａと、伝熱管１０４ｂと、側壁１０４ｃと、底壁１０４ｄと、上壁１０４ｇとを主に有している。伝熱管１０４ｂは、螺旋状に巻き回されることによって積層されている。側壁１０４ｃ、底壁１０４ｄおよび上壁１０４ｇは、伝熱管１０４ｂの周囲を取り囲むように配置されている。
【００３３】
二次熱交換器１０４においては、一次熱交換器１０３で熱交換された後の燃焼ガスとの熱交換によって伝熱管１０４ｂ内を流れる湯水が予熱（加熱）される。この過程で燃焼ガスの温度が６０℃程度まで下がることで、燃焼ガス中に含まれる水分が凝縮して潜熱を得ることができる。また二次熱交換器１０４で潜熱が回収されて燃焼ガス中に含まれる水分が凝縮することによりドレンが発生する。
【００３４】
底壁１０４ｄは一次熱交換器１０３と二次熱交換器１０４との間を区画するためのものであり、一次熱交換器１０３の上壁でもある。この底壁１０４ｄには開口部１０４ｅが設けられており、この開口部１０４ｅにより一次熱交換器１０３の伝熱管１０３ａが配置された空間と二次熱交換器１０４の伝熱管１０４ｂが配置された空間とが連通している。図２の白矢印で示すように、開口部１０４ｅを通じて燃焼ガスは一次熱交換器１０３から二次熱交換器１０４へ流れることが可能である。この実施の形態では簡単化のために二次熱交換器１０４の底壁１０４ｄと一次熱交換器１０３の上壁とを共通のものとしたが、一次熱交換器１０３と二次熱交換器１０４の間に排気集合部材を接続してもよい。
【００３５】
また上壁１０４ｇには開口部１０４ｈが設けられており、この開口部１０４ｈにより二次熱交換器１０４の伝熱管１０４ｂが配置された空間と排気ボックス１０５の内部空間とが連通している。図２の白矢印で示すように、開口部１０４ｈを通じて燃焼ガスは二次熱交換器１０４から排気ボックス１０５の内部空間内へ流れることが可能である。
【００３６】
ドレン排出口１０４ａは側壁１０４ｃまたは底壁１０４ｄに設けられている。このドレン排出口１０４ａは、側壁１０４ｃ、底壁１０４ｄおよび上壁１０４ｇによって取り囲まれた空間の最も低い位置（給湯装置の設置状態において鉛直方向の最も下側の位置）であって伝熱管１０４ｂの最下端部よりも下側に開口している。これにより二次熱交換器１０４で生じたドレンを、図２において黒矢印で示すように底壁１０４ｄおよび側壁１０４ｃを伝ってドレン排出口１０４ａに導くことが可能である。
【００３７】
主に図２および図３を参照して、排気ボックス１０５は二次熱交換器１０４と送風機１との間の燃焼ガスの流れの経路を構成している。この排気ボックス１０５により、二次熱交換器１０４で熱交換された後の燃焼ガスを送風機１へ導くことが可能である。排気ボックス１０５は、二次熱交換器１０４に取り付けられており、二次熱交換器１０４よりも燃焼ガスの流れの下流側に位置している。
【００３８】
排気ボックス１０５は、ボックス本体１０５ａと、ファン接続部１０５ｂとを主に有している。ボックス本体１０５ａの内部空間は、二次熱交換器１０４の開口部１０４ｈを通じて二次熱交換器１０４の伝熱管１０４ｂが配置された内部空間に連通している。またボックス本体１０５ａの上部から突き出すようにファン接続部１０５ｂが設けられている。このファン接続部１０５ｂはたとえば筒形状を有しており、その内部空間１０５ｂａはボックス本体１０５ａの内部空間と連通している。
【００３９】
主に図１を参照して、ドレンタンク１０９は、二次熱交換器１０４で生じたドレンを貯留するためのものであり、このドレンタンク１０９と二次熱交換器１０４のドレン排出口１０４ａとはドレン排出管１１０により接続されている。ドレンタンク１０９に貯留された酸性のドレンは、例えば、ドレンタンク１０９の内部空間内に一時的に貯留された後に、通常はドレン排出用配管１１５から給湯装置１００の外部に排出される。
【００４０】
なお、ドレンタンク１０９の下部は、ドレン排出用配管１１５とは別にドレン抜き用配管１１６に接続されている。このドレン抜き用配管１１６（通常は閉じられている）は、メンテナンス時などにドレン抜き用配管１１６を開くことで、ドレン排出用配管１１５からは排出できないドレンタンク１０９内のドレンを排出することができるように設計されている。またドレンタンク１０９の内部空間には、酸性のドレンを中和するための中和剤（図示せず）が充填されていてもよい。
【００４１】
主に図１を参照して、ガス供給配管１１１はバーナ１０２に接続されている。給水配管１１２は二次熱交換器１０４の伝熱管１０４ｂ（図２参照）に接続されており、出湯配管１１３は一次熱交換器１０３の伝熱管１０３ａ（図２参照）に接続されている。また、一次熱交換器１０３の伝熱管１０３ａと二次熱交換器１０４の伝熱管１０４ｂとは接続配管１１４により相互に接続されている。上記のガス供給配管１１１、給水配管１１２および出湯配管１１３の各々は、たとえば給湯装置１００の上部において外部に通じている。
【００４２】
主に図３を参照して、本実施の形態において、送風機１は、二次熱交換器１０４を経由した（二次熱交換器１０４で熱交換された）後の燃焼ガスを吸引して給湯装置１００の外部へ排出するためのものである。
【００４３】
つまり送風機１は、排気ボックス１０５および二次熱交換器１０４よりも燃焼ガスの流れの下流側に位置している。つまり給湯装置１００においては、バーナ１０２で生じた燃焼ガスの流れの上流側から下流側に沿って、バーナ１０２、一次熱交換器１０３、二次熱交換器１０４、排気ボックス１０５、および送風機１の順で並んでいる。この配置において送風機１で燃焼ガスを吸引して排気するため、本実施の形態の給湯装置１００は、排気吸引燃焼方式の給湯装置となっている。
【００４４】
主に図１を参照して、送風機１の吐出接続部２０には、接続管１０８の一端側が接続されている。接続管１０８の他端側は、給湯装置１００の燃焼ガスを外部（たとえば屋外）に導くための排気管（不図示）に接続されている。このため、送風機１から送り出された燃焼ガスを、接続管１０８を通じて給湯装置１００の外部へ排出することが可能である。上記排気管は、たとえば既設の排気筒内に挿通される排気管（不図示）である。
【００４５】
主に図３および図４を参照して、送風機１は、ファン１０と、ファン１０に接続される吐出接続部２０とを主に備える。
【００４６】
ファン１０は、空気や燃焼ガスといった気体を吸引して所定の方向に吐出するためのものであり、ファンケース１１と、羽根車１２と、駆動源１３と、回転軸１４とを主に有している。排気吸引燃焼方式の給湯装置においては、ファン１０は主に燃焼ガスを吸引する。
【００４７】
ファンケース１１は、天井壁１１ａと、周壁１１ｂと、底壁１１ｃと、舌部１１ｂｂを主に有する。天井壁１１ａには貫通孔１１ａａが設けられており、ファンケース１１の内部空間（第１内部空間）１１ｄに収容された羽根車１２と、ファンケース１１の外部に配置された駆動源１３とを接続する回転軸１４が貫通している。周壁１１ｂは、ファンケース１１の内部空間１１ｄに収容される羽根車１２の外周を囲むように配置されている。
【００４８】
ファンケース１１の底壁１１ｃには、吸引口１１ｃｃが設けられており、吸引口１１ｃｃを介して、ファンケース１１の内部空間１１ｄと排気ボックス１０５の内部空間（ファン接続部１０５ｂの内部空間１０５ｂａ）とが連通している。これにより図３の白矢印で示すように、排気ボックス１０５のボックス本体１０５ａからファン接続部１０５ｂを通じてファンケース１１内に燃焼ガスを吸引することが可能である。なおファンケース１１の底壁１１ｃは、たとえば筒状の突出部１１ｃａを有していてもよい。この場合、ファン接続部１０５ｂとの接続が容易となる。
【００４９】
羽根車１２は、ファンケース１１の内部に収容されている。この羽根車１２は、駆動源１３に回転軸１４を介して接続されている。これにより羽根車１２は駆動源１３から駆動力を与えられることにより回転軸１４を中心として回転可能である。羽根車１２の回転により、図中白矢印で示すように、排気ボックス１０５側の気体が羽根車１２の内周側に吸引されて羽根車の外周側へ送り出される。図中の一点鎖線Ｓは、回転軸１４の軸方向を示している。
【００５０】
吐出接続部２０は、ファン１０から送り出される燃焼ガスを送風機１の外部、本実施の形態では接続管１０８に導くためのものであり、ファン１０よりも燃焼ガスの流れの経路の下流側に位置している。つまり給湯装置１００においては、バーナ１０２で生じた燃焼ガスの流れの上流側から下流側に沿って、バーナ１０２、一次熱交換器１０３、二次熱交換器１０４、排気ボックス１０５、送風機１のファン１０、送風機１の吐出接続部２０、および接続管１０８の順で並んでいる。
【００５１】
吐出接続部２０は、内部空間２１ｄ（第２内部空間）を有する接続部ケース２１を含む。接続部ケース２１は、天井壁２１ａと、周壁２１ｂと、底壁２１ｃとを主に有し、接続部ケース２１の内部空間２１ｄ（吐出接続部２０の内部空間）とファンケース１１の内部空間１１ｄ（ファン１０の内部空間）とが連通している。
【００５２】
接続部ケース２１の天井壁２１ａには、ファン１０側（ファンケース１１の内部空間１１ｄ）から送り出された燃焼ガスを給湯装置１００の外部へ排出するための吐出口２１ａａが設けられている。天井壁２１ａの吐出口２１ａａの周囲には、接続管１０８との接続を容易とすべく、筒形状を有する接続部２１ａｂが設けられていてもよい。周壁２１ｂは、吐出接続部２０をファン１０の回転軸１４の軸方向から見た平面視（図４）において、吐出口２１ａａの投影領域Ｂ（図４において、接続部ケース２１内の斜線でハッチングする領域）を囲むように配置されている。
【００５３】
これにより、ファン１０の内部空間１１ｄから送り出された燃焼ガスが、吐出接続部２０の周壁２１ｂに導かれて内部空間２１ｄ内で上昇しながら旋回するように方向転換され、結果的に、吐出口２１ａａを介して送風機１の外部へ吐出される。
【００５４】
吐出接続部２０は、さらにドレン排出部２２を有してもよい。ドレン排出部２２は、ファン１０よりも燃焼ガスの流れの経路の下流側のドレンを排出するためのものである。ドレン排出部２２は、連結管１１７により二次熱交換器１０４に接続されることが好ましい（図１参照）。これにより、ドレン排出部２２および連結管１１７を介して、吐出接続部２０の内部空間２１ｄと二次熱交換器１０４の内部空間とが連通し、ファン１０よりも燃焼ガスの流れの経路の下流側のドレンを二次熱交換器１０４内に排出することができる。
【００５５】
本実施の形態においては、ファンケース１１および接続部ケース２１が一体形成されている。具体的には、ファンケース１１の周壁１１ｂ、底壁１１ｃ、接続部ケース２１の周壁２１ｂ、および底壁２１ｃが一体形成され、ファンケース１１の天井壁１１ａ、および接続部ケース２１の天井壁２１ａが一体形成されている。
【００５６】
ファンケース１１の内部空間１１ｄおよび接続部ケース２１の内部空間２１ｄの間には、舌部１１ｂｂが延在している。この舌部１１ｂｂの具体的な構成について、図４〜図６を用いて説明する。
【００５７】
まず舌部１１ｂｂの位置の理解を容易とするために、ファン１０と吐出接続部２０との境界について図４を参照しながら説明する。
【００５８】
図４には、ファンケース１１の内部空間１１ｄと、接続部ケース２１の内部空間２１ｄと、舌部１１ｂｂとが示されている。さらに図４には、舌部１１ｂｂ、羽根車１２、および吐出口２１ａａの位置関係が理解しやすいように、回転軸１４の軸方向から見た平面視において、ファンケース１１内の羽根車１２が配置される領域ＡＡと、吐出口２１ａａの投影領域となる領域ＢＢとが示されている。
【００５９】
図４を参照し、ファン１０と吐出接続部２０との境界は、送風機１を回転軸１４の軸方向から見た平面視において、点線Ｃで示される。この点線Ｃは、舌部１１ｂｂの先端部１１ｂｂ１と対向する壁面に直交し、かつ舌部１１ｂｂの先端部１１ｂｂ１を通る直線である。この点線Ｃを境界Ｃとして、境界Ｃよりも図中右側の部分が実質的にファンとして機能する部分である。なお、舌部１１ｂｂと対向する壁面において、ファンケース１１の周壁１１ｂと接続部ケース２１の周壁２１ｂとは直線的に接続されている。
【００６０】
本明細書においては、実質的にファンとして機能する部分を「ファン１０」とする。またその「ファン１０」の下流側に位置し、かつ境界Ｃを境界として「ファン１０」と隣接する部分を「吐出接続部２０」とする。つまり、ファン１０の内部空間１１ｄ（ファンケース１１の内部空間１１ｄ）と吐出接続部２０の内部空間２１ｄ（接続部ケース２１の内部空間２１ｄ）とは境界Ｃを介して互いに接続されている。
【００６１】
次に舌部１１ｂｂの構成について、上述の境界Ｃ、領域ＡＡおよび領域ＢＢを用いながら説明する。
【００６２】
図４を参照し、上述の境界Ｃをファン１０と吐出接続部２０との境界とした場合に、舌部１１ｂｂは、境界Ｃの一端Ｃ１から他端側Ｃ２に延びるように位置している。回転軸１４の軸方向から見た平面視において、舌部１１ｂｂの先端部１１ｂｂ１は円弧状であり、境界Ｃの一端Ｃ１側から他端Ｃ２側に向けて舌部１１ｂｂの幅は縮小する。ここでは、図４の一点鎖線で示す領域から先端部１１ｂｂ１までの領域を舌部１１ｂｂとする。
【００６３】
さらに舌部１１ｂｂは、領域ＢＢの中心点Ｂと、領域ＡＡの中心点Ａとを結ぶ直線ＡＢに少なくとも達する位置まで延設されている。領域ＢＢの中心点Ｂは、吐出口２１ａａの投影領域である領域ＢＢの中心点と一致する。領域ＡＡの中心点Ａは、羽根車１２の配置領域である領域ＡＡの中心点と一致するとともに、羽根車１２の回転中心、つまり回転軸１４の回転中心と一致する。
【００６４】
「直線ＡＢに少なくとも達する位置まで延設されている」は、舌部１１ｂｂの先端部１１ｂｂ１が、直線ＡＢ上に達すればよく、直線ＡＢを超えて延設されていてもよいことを意味し、先端部１１ｂｂ１が直線ＡＢ上に達しない場合を含まない意味である。
【００６５】
また図５を参照し、舌部１１ｂｂの先端部１１ｂｂ１は、領域ＢＢの外周部と領域ＡＡの外周部とに接する仮想の接線ＡＢ１〜ＡＢ４のうち、接線ＡＢ１（共通外接線）上および接線ＡＢ１よりも一端Ｃ１側のいずれかに位置している。つまり、舌部１１ｂｂは、先端部１１ｂｂ１が接線ＡＢ１を超えないように延設される。さらに、舌部１１ｂｂの先端部１１ｂｂ１は、接線ＡＢ２（共通内接線）上および接線ＡＢ２よりも一端Ｃ１側のいずれかに位置していてもよい。
【００６６】
図５から理解されるように、接線ＡＢ１〜ＡＢ４のうちの接線ＡＢ１は、境界Ｃと交差する位置が最も境界Ｃの他端側に近い位置となる共通外接線であり、接線ＡＢ２は、領域ＡＡの外周部と接する側から領域ＢＢの外周部と接する側に向かって、境界Ｃの他端Ｃ２から一端Ｃ１へと近づく共通内接線である。
【００６７】
また図６を参照し、回転軸１４の軸方向から見た平面視において、舌部１１ｂｂのうち、羽根車の外周部（すなわち領域ＡＡの外周部）と対向する面である対向壁部１１ｂｂ２は、次のように構成される。
【００６８】
すなわち回転軸１４の軸方向から見た平面視において、対向壁部１１ｂｂ２は、他端Ｃ２側から一端Ｃ１側に向けて直線的に延在する直線領域ＳＬと、直線領域ＳＬよりも一端Ｃ１側に位置し、かつ直線領域ＳＬに連続する曲線領域ＣＬとを有する。この直線領域ＳＬにおいて、対向壁部１１ｂｂ２と領域ＡＡの外周部（羽根車１２の外周部）との距離ｄは、他端Ｃ２側から一端Ｃ１側に向けて小さくなる。
【００６９】
「対向壁部１１ｂｂ２と領域ＡＡの外周部との距離ｄ」は、領域ＡＡと舌部１１ｂｂとの間の距離であって、領域ＡＡの半径方向の距離を意味し、「距離ｄが他端Ｃ２側から一端Ｃ１側に向けて小さくなる」とは、上記隙間が他端Ｃ２側から一端Ｃ１側に向けて狭くなることを意味する。
【００７０】
また舌部１１ｂｂのうち内部空間２１ｄに対向する部分は、領域ＢＢを取り囲むような曲線形状を有することが好ましい。
【００７１】
（作用効果）
本実施の形態の送風機および給湯装置の作用効果について説明する。
【００７２】
特許文献１に開示されるような従来のファンを搭載した排気吸引燃焼方式の給湯装置をコンパクト化する手法として、送風機回りをコンパクト化することが考えられる。具体的には、ファンにおける燃焼経路の下流側に吐出接続部を接続させ、羽根車の回転軸の軸方向において、吐出接続部に設けられた吐出口を羽根車の近傍に設け、送風機の全長（図１中の横方向）を短くすることが考えられる。
【００７３】
そこで本発明者らは、ファン（羽根車）と、吐出口に接続される排気管とを近接させることによって送風機を搭載する給湯装置をコンパクト化すべく、吐出口が設けられた吐出接続部をファンケースに接続し、ファンケースの内部空間と吐出接続部の内部空間との境界の近傍に吐出口が位置するように設計して検討を重ねた。その結果、ファンの送風能力が低下してしまうことを知見し、さらなる検討により、これが境界の一端側から他端側に延びる舌部付近で、逆流が生じるためであることを見出した。そして本発明者らは、この逆流が生じる原因を以下のように考察した。
【００７４】
すなわち、内部空間１１ｄと内部空間２１ｄとの境界Ｃの近傍であって、羽根車１２から送り出される気体の流れる方向と略垂直方向に吐出口２１ａａが位置するように設計した場合、ファン１０から送り出される気体の流れる方向が、図７に示すように吐出接続部２０の内部空間２１ｄで急激に変化することになる。
【００７５】
図７を参照し、内部空間１１ｄには白矢印で示すような気体の流れ（第１の流れ）が生じるのに対し、内部空間２１ｄには黒矢印で示すような流れ（第２の流れ）が生じる。この第２の流れは、旋回しながら上方に位置する吐出口２１ａａ側に上昇している流れであり、第１の流れよりも流速の大きい流れである。そして、この第２の流れが旋回しきれずに、あるいは上昇しきれずに、舌部１１ｂｂの先端部１１ｂｂ１近傍から内部空間１１ｄに流れ出ることにより、気体の逆流が生じる。これによって、結果的にファンの送風能力が低下する。
【００７６】
本発明者らは、舌部１１ｂｂの先端部１１ｂｂ１近傍で逆流が生じていること、およびその原因を突き止めた上で、これらの知見をもとにさらに鋭意検討を重ねた。そしてこれにより、回転軸１４の軸方向から見た平面視において、内部空間１１ｄと内部空間２１ｄとの境界Ｃの一端Ｃ１から他端Ｃ２に延びる舌部１１ｂｂが、吐出口２１ａａの中心点と回転軸１４の回転中心とを結ぶ直線ＡＢに少なくとも達する位置まで延設されていることにより、舌部１１ｂｂの先端部１１ｂｂ１付近での逆流を抑制できることを知見した。これは、舌部１１ｂｂによって第２の流れが適切に旋回するように導くことができるためである。
【００７７】
つまり本実施の形態の送風機１においては、舌部１１ｂｂは、領域ＢＢの中心点Ｂと、領域ＡＡの中心点Ａとを結ぶ直線ＡＢに少なくとも達する位置まで延設されている。これにより、ファン１０と吐出口２１ａａとが近接する構成を有しているにも関わらず、上述の気体の逆流を抑制することができる。したがって、ファン１０の送風能力を低下させることなく、送風機１のコンパクト化が可能となり、故にこれを搭載する給湯装置１００のコンパクト化が可能となる。
【００７８】
また本実施の形態では、羽根車１２の面積が拡大する方向（図３中の左右方向）と、吐出口２１ａａを含む仮想の面の面方向とが一致する。これにより、より効果的なコンパクト化が可能となる。これは、このような構成により、吐出口２１ａａに接続される接続管１０８の延びる方向を、羽根車１２の面積が拡大する方向に垂直な回転軸１４の軸方向と一致させることができるために、送風機１回りをさらにコンパクト化することができるためである。
【００７９】
上記送風機１において、舌部１１ｂｂの先端部１１ｂｂ１は、領域ＢＢの外周部と領域ＡＡの外周部とに接する仮想の接線ＡＢ１〜ＡＢ４のうち、接線ＡＢ１上および接線ＡＢ１よりも一端Ｃ１側のいずれかに位置していることが好ましい。これは以下の理由による。
【００８０】
舌部１１ｂｂが過剰に長く延設された場合、内部空間１１ｄから内部空間２１ｄに送り出される気体の境界Ｃ付近における通り道が過剰に狭くなるために、内部空間１１ｄから内部空間２１ｄに送り出される気体に加わる排気抵抗が大きくなり、結果的に、送風機１の送風能力が低下する。
【００８１】
これに対し、図８を参照し、舌部１１ｂｂの先端部１１ｂｂ１が接線ＡＢ１を超えないように延設されることにより、羽根車１２の外周部から対数螺旋形状的に送り出される気体の通り道が過剰に狭くなることを抑制することができる。これにより、内部空間１１ｄから内部空間２１ｄに送り出される気体に加わる排気抵抗を抑制することができる。したがって、ファン１０の送風能力を低下させることなく、送風機１をコンパクト化することができ、故にこれを搭載する給湯装置１００のコンパクト化が可能となる。
【００８２】
なお、図８においては、羽根車１２の外周部の各位置から送り出される気体の流れる方向を模式的に示すが、各気体の流れをまとめて全体的に示すと、ファンケース１１側から接続部ケース２１側に送り出される気体は、図７の白矢印で示す方向となる。
【００８３】
また上記送風機１において、舌部１１ｂｂの先端部１１ｂｂ１は、領域ＢＢの外周部と領域ＡＡの外周部とに接する仮想の接線ＡＢ１〜ＡＢ４のうち、接線ＡＢ２上および接線ＡＢ２よりも一端Ｃ１側のいずれかに位置していることがより好ましい。これは以下の理由による。
【００８４】
図８を参照し、接線ＡＢ２は、羽根車１２から対数螺旋状に送り出される気体のうち、領域ＢＢの外周部と接するように送り出される気体の流れる方向に近似する。つまり舌部１１ｂｂが接線ＡＢ２を超える場合、このような気体の流れを抑制することとなり、故に内部空間１１ｄから内部空間２１ｄに送り出される気体の排気抵抗の増加へとつながる。
【００８５】
換言すれば、舌部１１ｂｂが接線ＡＢ２を超えない場合、上記のような排気抵抗の増加を抑制することができる。したがって、舌部１１ｂｂの先端部１１ｂｂ１が接線ＡＢ２上および接線ＡＢ２よりも一端Ｃ１側のいずれかに位置するように延設されることにより、ファン１０の送風能力を低下させることなく、送風機１をコンパクト化することができ、故にこれを搭載する給湯装置１００のコンパクト化が可能となる。
【００８６】
上記送風機１は、上述のように、直線領域ＳＬにおいて、舌部１１ｂｂと領域ＡＡ（羽根車１２の外周部）との距離ｄが、他端Ｃ２側から一端Ｃ１側に向けて小さくなることが好ましい。
【００８７】
一般的に、ファンの送風性能の確保のために、回転軸１４の軸方向からの平面視において、舌部１１ｂｂと羽根車１２との間の距離ｄは、他端Ｃ２側から一端Ｃ１側に向けて大きくなるように設計される。しかし、この場合、先端部１１ｂｂ１付近の気体に加わる圧力変動が大きいために、ＮＺ音が大きくなる傾向がある。
【００８８】
これに対し、直線領域ＳＬにおいて、舌部１１ｂｂと領域ＡＡ（羽根車１２の外周部）との距離ｄが、他端Ｃ２側から一端Ｃ１側に向けて小さくなることにより、舌部１１ｂｂと羽根車１２との間で生じる圧力変動を緩和することができるため、送風機から発生するＮＺ音を低減させることができる。なお、直線領域ＳＬに連続する曲線領域ＣＬにおいては、他端Ｃ２側から一端Ｃ１側に向けて距離ｄが大きくなるため、ファン１０の送風能力は十分に維持することができる。
【００８９】
上記送風機において、ファンケース１１と接続部ケース２１とが一体的に形成されていることが好ましい。これにより、送風機１の構成が簡素となり、ファン１０から吐出接続部２０への気体の送り出しがスムーズとなる。なお、本実施の形態では、ファンケース１１の天井壁１１ａを、周壁１１ｂおよび底壁１１ｃと異なる材質とし、接続部ケース２１の天井壁２１ａを、周壁２１ｂおよび底壁２１ｃと異なる材質としたために、他の壁に対して天井壁を個別の構成としたが、天井壁１１ａ，２１ａ、周壁１１ｂ，２１ｂおよび底壁１１ｃ，２１ｃが一体形成されていてもよい。
【００９０】
また本実施の形態では、上記のように排気吸引燃焼方式の給湯装置１００が用いられているため接続管１０８の径が小さくなった場合でも、いわゆる排気押込み方式の給湯装置に対してバーナ１０２による燃焼動作を安定させることができる。以下、そのことについて説明する。
【００９１】
いわゆる排気押込み方式の給湯装置においては、燃焼ガスの流れの上流側から下流側に向かって、ファン、バーナ、一次熱交換器および二次熱交換器がこの順で配置されている。つまりバーナで生じた燃焼ガスがファンにより一次熱交換器および二次熱交換器を通って給湯装置の外部の排気管に流し込まれる。
【００９２】
ファンから押し出された燃焼ガスは、排気管に到達する前に一次熱交換器および二次熱交換器による流路抵抗を受けるため、排気管直前における燃焼ガスの送風圧はこの流路抵抗分だけ低くなる。このため、径の小さい排気管内に燃焼ガスを押し込むためにはファンによる送風圧を高くする必要がある。しかしファンの送風圧を高くすると、バーナケース内の内圧が高くなる。このため、バーナに供給される燃料ガスの供給圧が低い場合、燃焼動作が安定しなくなる。
【００９３】
これに対して本実施の形態の排気吸引燃焼方式によれば、燃焼ガスの流れの上流側から下流側に向かって、バーナ１０２、一次熱交換器１０３、二次熱交換器１０４、送風機１のファン１０、および送風機１の吐出接続部２０がこの順で配置されている。この方式では、ファン１０よりも上流側では負圧となるため、接続管１０８の径が小さくなった場合でもバーナケース内の内圧を低く維持できることにより、バーナ１０２に供給される燃料ガスの供給圧が低くても燃焼動作を安定させることができる。
【００９４】
なお、図４〜図８においては、ファン１０の内部空間１１ｄと、吐出接続部２０の内部空間２１ｄとの各構成を明確にすべく、ファンケース１１の天井壁１１ａと、接続部ケース２１の天井壁２１ａとが外された状態を示している。
【００９５】
［実施の形態２］
（給湯装置および送風機の構成）
主に図９を参照して、本実施の形態の送風機１を備える給湯装置２００について説明する。給湯装置２００は、押し込み方式の潜熱回収型の給湯装置である。
【００９６】
主に図９を参照し、給湯装置２００は、筺体２０２と、バーナ２０３と、送風機１と、一次熱交換器２１１と、二次熱交換器２２１とを主に有している。
【００９７】
バーナ２０３は、燃焼部２０３ａと、バーナケース２０３ｂとを有しており、燃焼部２０３ａはバーナケース２０３ｂ内に収容されている。このバーナ２０３には、バーナ２０３に燃料ガスを供給するためのガス管２０５が接続されている。
【００９８】
送風機１は、バーナ２０３に燃焼用の気体を供給するためのものである。この送風機１はバーナ２０３の下部に取付けられている。つまり燃焼ガスの流れに対してバーナ２０３の上流側に位置している。送風機１の構成は、実施の形態１と同様であるため、その説明は繰り返さない。本実施の形態では、送風機１によってバーナ２０３に供給される気体は主に空気であり、燃焼ガスは含まない。ただし、給湯装置２００はこれに限られず、たとえば送風機１内で燃焼ガスと空気が混合されて、バーナ２０３に供給する構成（いわゆる全一次燃焼方式）であってもよい。この場合、送風機１に燃焼ガスを供給するための配管が接続される。
【００９９】
なお、本実施の形態では、たとえば、送風機１の吐出口２１ａａを取り囲むように設けられた接続部２１ａｂが、バーナケース２０３ｂの底壁に設けられた開口部に取り付けられることにより、送風機１から吐出される燃焼用の空気をバーナ２０３に送り出すことができる。
【０１００】
主に図９を参照して、一次熱交換器２１１は顕熱回収型の熱交換器である。この一次熱交換器２１１は、互いに積層された複数のフィン２１３と、複数のフィン２１３を貫通する伝熱管２１５と、複数のフィン２１３および伝熱管２１５を内部に収容するケースとしての胴板２１７とを有している。伝熱管２１５は、一方端にて配管２３２に接続されており、かつ他方端にて出湯配管２３３に接続されている。一次熱交換器２１１は、バーナ２０３で発生する燃焼ガスとの間で熱交換を行なうものであり、具体的にはバーナ２０３の燃焼動作により発生した熱量によって一次熱交換器２１１の伝熱管２１５内を流れる湯水を加熱するためのものである。
【０１０１】
主に図９を参照して、二次熱交換器２２１は潜熱回収型の熱交換器である。この二次熱交換器２２１は、一次熱交換器２１１よりも燃焼ガスの流れの経路の下流側に位置し、一次熱交換器２１１と互いに直列に接続されている。このように本実施の形態の給湯装置２００は潜熱回収型の二次熱交換器２２１を有しているため潜熱回収型の給湯装置となっている。
【０１０２】
一次熱交換器２１１と二次熱交換器２２１とは配管２３２で接続されている。二次熱交換器２２１には、二次熱交換器２２１に水を供給するための給水配管２３１が接続されている。一次熱交換器２１１には、一次熱交換器２１１から湯を送り出すための出湯配管２３３が接続されている。
【０１０３】
二次熱交換器２２１は、複数の（らせん状の）伝熱管２２５と、伝熱管２２５を内部に収容するケース２２７とを有している。伝熱管２２５は、一方端にて給水配管２３１に接続されており、かつ他方端にて配管２３２に接続されている。
【０１０４】
主に図９を参照し、給水配管２３１と出湯配管２３３との間にバイパス管２３５が接続されている。このバイパス管２３５は、出湯配管２３３から送り出される湯の温度を給水配管２３１の水で調整するためのものである。また、二次熱交換器２２１において生じたドレンを排出するためのドレン排出管２４１が設けられている。
【０１０５】
給湯装置２００においては、給水管２３１に所定量の水が流されることによって、送風機１のファン１０が回転を始め、バーナ２０３が点火して、バーナ２０３から上方に向かって燃焼ガスが送り出される。送り出された燃焼ガスは、一次熱交換器２１１が配置された胴板２１７内を流れ、次に、二次熱交換器２２１内を流れ、その後、給湯装置２００の外へ排気される。
【０１０６】
一方、給水管２３１から送られる水は、まず、二次熱交換器２２１の伝熱管２２５内を流れる。二次熱交換器２２１を流れる間に、燃焼ガス（潜熱）によって水が予備加熱される。次に、予備加熱された水は、配管２３２を経て一次熱交換器２１１へ送られる。一次熱交換器２１１へ送られた予備加熱された水は、下段の伝熱管２１５を流れ、次に、上段の伝熱管２１５を流れる。予備加熱された水が伝熱管２１５を流れる間に、フィン２１３間の隙間を流れる燃焼ガス（顕熱）と伝熱管２１５内の水との間で熱交換が行われ、予備加熱された水が所定の温度にまで加熱される。所定の温度に加熱された湯は、出湯管２３３を経て給湯装置２００の外へ送り出される。
【０１０７】
（作用効果）
本実施の形態の送風機および給湯装置の作用効果について説明する。
【０１０８】
特許文献１に開示されるような従来のファンを、押し込み方式の給湯装置に搭載した場合、図１０に示すように、羽根車の回転軸方向が給湯装置３００の設置状態における鉛直方向に対し略垂直であり、羽根車から送り出される気体の流れる方向が、上記鉛直方向に略平行となる。ファン３０は、通常、羽根車から送り出される気体の流れる方向（図１０中の上下方向）の面積のほうが、回転軸方向（図１０中の紙面を貫く方向）の面積よりも大きくなる傾向にある。故に従来のファンを押し込み方式の給湯装置に搭載した場合、給湯装置の設置状態における鉛直方向の幅（高さ）が大きくなることとなり、コンパクト化が図れない。
【０１０９】
これに対し、本実施の形態の送風機１によれば、ファン１０と、吐出接続部２０の吐出口２１ａａとが近接した位置に設けられている。これによって、図９に示すように、ファン１０のうちの面積の大きい面を、給湯装置２００の設置状態における水平方向に配置することができる。したがって、送風機１によって給湯装置の鉛直方向の幅が大きくなることを防止することができ、もって送風機１が搭載される給湯装置２００のコンパクト化を図ることができる。
【０１１０】
さらに送風機１において、舌部１１ｂｂは、領域ＢＢの中心点Ｂと、領域ＡＡの中心点Ａとを結ぶ直線ＡＢに少なくとも達する位置まで延設されている。これにより、気体の逆流を舌部１１ｂｂによって抑制することができ、もってファン１０の送風能力を低下させることなく、これを搭載する給湯装置２００のコンパクト化が可能となる。
【０１１１】
なおその他の送風機１の好ましい構成およびその作用効果は、実施の形態１と同様であるため、その説明は繰り返さない。
【０１１２】
［実施の形態３］
（給湯装置および送風機の構成）
主に図１１を参照して、本実施の形態の送風機１の変形例である送風機１Ａを備える給湯装置４００について説明する。給湯装置４００は、押し込み方式の潜熱回収型の給湯装置である。
【０１１３】
主に図１１を参照し、給湯装置４００は、筐体２０２と、バーナ２０３と、送風機１Ａと、一次熱交換器２１１と、二次熱交換器２２１とを主に有している。給湯装置４００は、送風機１Ａの形状が送風機１と相違する点で、給湯装置３００と相違する。つまり、給湯装置４００において送風機１Ａ以外の構成は給湯装置３００と同様であるため、その説明は繰り返さない。
【０１１４】
送風機１Ａは、バーナ２０３に燃焼用の気体を供給するためのものである。この送風機１Ａは、給湯装置３００と同様に、バーナ２０３の下部に取り付けられている。送風機１Ａの送風機１との相違点は、吐出接続部２０に対し、ファン１０の接続状態が送風機１と反対となっている点にある。
【０１１５】
具体的には、吐出口２１ａａが設けられた天井壁２１ａと、吸引口１１ｃｃが設けられた底壁１１ｃが接続されており、底壁２１ｃと、回転軸１４が貫通する天井壁１１ａとが接続されている。
【０１１６】
（作用効果）
本実施の形態の送風機および給湯装置の作用効果は、実施の形態２と同様である。さらに、本実施の形態によれば、メンテナンス時における送風機１Ａの取り外し、取り付けがより容易となる。
【０１１７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１１８】
１，１Ａ  送風機、１０  ファン、２０  吐出接続部、１１  ファンケース、２１  接続部ケース、１１ａ，２１ａ  天井壁、１１ａａ  貫通孔、１１ｂ，２１ｂ  周壁、１１ｂｂ  舌部、１１ｂｂ１  先端部、１１ｂｂ２  対向壁部、１１ｃ，２１ｃ  底壁、１１ｃｃ  吸引口、１１ｃａ  突出部、１１ｄ，２１ｄ  内部空間、２１ａａ  吐出口、２１ａｂ  接続部、２２  ドレン排出部、ＬＳ  直線領域、ＣＬ  曲線領域、ＡＡ，ＢＢ  領域、Ａ，Ｂ  中心点、Ｃ  境界、Ｃ１  一端、Ｃ２  他端、ＡＢ  直線、ＡＢ１〜ＡＢ４  接線、１００，２００，３００，４００  給湯装置、１０２，２０３  バーナ、１０２ａ  点火プラグ、１０３，２１１  一次熱交換器、１０３ａ，１０４ｂ，２１５，２２５  伝熱管、１０３ｂ，２１３  フィン、１０３ｃ，２２７  ケース、１０４，２２１  二次熱交換器、１０４ａ  ドレン排出口、１０４ｃ  側壁、１０４ｄ  底壁、１０４ｅ，１０４ｈ  開口部、１０４ｇ  上壁、１０５  排気ボックス、１０５ａ  ボックス本体、１０５ｂ  ファン接続部、１０５ｂａ  内部空間、１０８  接続管、１０９  ドレンタンク、１１０，２４１  ドレン排出管、１１１  ガス供給配管、１１２，２３１  給水配管、１１３，２３３  出湯配管、１１４  接続配管、１１５  ドレン排出用配管、１１７  連結管、２０３ａ  燃焼部、２０３ｂ  バーナケース、２１７  胴板、２３２  配管、２３５  バイパス管、２４２ａ  流出口、２２７ａ  排気口。
【図１】
0005994827.tif 000002
【図２】
0005994827.tif 000003
【図３】
0005994827.tif 000004
【図４】
0005994827.tif 000005
【図５】
0005994827.tif 000006
【図６】
0005994827.tif 000007
【図７】
0005994827.tif 000008
【図８】
0005994827.tif 000009
【図９】
0005994827.tif 000010
【図１０】
0005994827.tif 000011
【図１１】
0005994827.tif 000012